(57)【要約】      （修正有）【課題】野菜や花の種の収納袋は外からは種が見えないので、封を切る前に中身の種の状態を見ることができる種収納袋を提供する。【解決手段】種収納袋１は紙素材による外装袋２の上部に設けた蓋片４を裏側に折り返せるものとし、かつその外装紙２の裏紙１２の下部には、横長状にカットした切り取り開放穴３を設けて成る外装袋２を形成し、その外装袋２内に、外装袋２より少し幅が狭く、かつ高さは略同じ大きさのチャック５付き透明袋６に種７を収めたものを前記外装袋２内に収めた上で、前記する蓋片４を裏側に折り返してから外装袋２と透明袋６をホッチキス止めして成る種収納袋１を構成する。【選択図】図３
0003165837.tif 000002
【実用新案登録請求の範囲】
【請求項１】
野菜や花の種収納袋であって、前記する種収納袋は紙素材による外装袋の上部に設けた蓋片は裏側に折り返せるものとし、かつその裏紙の下部には、横長状にカットした切り取り開放穴を設けて成る外装袋を形成し、該その外装袋内には、外装袋より少し幅が狭く、かつ高さは略同じ大きさのチャック付き透明袋に種を収めた透明袋を前記外装袋内に収めた上で、前記する蓋片を裏側に折り返してから外装袋と透明袋をホッチキス止めして成る構成を特徴とする中身が見える種収納袋。
【請求項２】
前記する外装袋の上部入り口の裏紙の中ほどに、コの字状のカット部を設けるとともに、前記蓋片の内側に接着剤を施して接着して成る請求項１に記載する中身が見える種収納袋。
【考案の詳細な説明】
【技術分野】
【０００１】  本考案は、野菜や花の種を袋の封を切らずに、購入前に外から種が見える種収納袋に関する。
【背景技術】
【０００２】  従来、野菜や花の種は紙製の袋に収められ、その外側には収めた種の種類が分かるような写真を印刷し、かつ裏面にはその種の蒔き方や育て方など記した袋に一定の数の種が収められて、種を蒔く時は封を切ってから種を出して指示通りに蒔くのが一般的な種袋である。【０００３】  また、中身が見える種袋として、袋の隅に適度な大きさの透明窓を設けた種袋の技術がある。（例えば、特許文献１参照）
【特許文献１】特開２００５−２２６５５公報
【考案が解決しようとする課題】
【０００４】  前記するような、従来の種収納袋は一々袋口の口を切ったり破いて種を取り出していたが、うっかりすると口を切る時の反動で種が飛びだしたりする不便や欠点があった。
【０００５】  また特開２００５−２２６５５公報に開示される窓付き種子袋は、袋の封を切らずに全面に設けた窓から種が目視できる種袋である。しかしこの袋の素材は再生可能なものとし、さらに窓部にも再生可能な木材繊維からなる透明シート材を用いなくてはならないので、透明度が期待できるかは疑問である。加えて種を出す時は封を切ることになるが、残った場合は密封しにくいので湿気により発芽してしまう欠点がある種袋であった。
【課題を解決するための手段】
【０００６】  本考案は、従来のような不便や欠点を解消するために、請求項１においては、種収納袋は紙素材による外装袋の上部に設けた蓋片は裏側に折り返せるものとし、かつその裏紙の下部には、横長状にカットした切り取り開放穴を設けて成る外装袋を形成し、該その外装袋内には、外装袋より少し幅が狭く、かつ高さは略同じ大きさのチャック付き透明袋に種を収めた透明袋を前記外装袋内に収めた上で、前記する蓋片を裏側に折り返してから外装袋と透明袋をホッチキス止めして成る種収納袋とする。
【０００７】  請求項２においては、前記する外装袋の上部入り口の裏紙の中ほどに、コの字状のカット部を設けるとともに、前記蓋片の内側に接着剤を施して接着して成る種収納袋とする。
【考案の効果】
【０００８】  本考案による種収納袋において、実施例１タイプは、紙製の外装袋の背面下部を横長にカットし、その外装袋の内部にビニール等のチャック付き透明袋に野菜や花の種を収めたものを前記する外装袋内に収め、かつ外装袋の蓋片を折り返した上で、外装袋の蓋片と透明袋をホッチキスで綴じているので、種を収めた透明袋は外装袋の下部から脱落することはなく、かつ封を開けずに種の状態を知ることができる。
【０００９】  さらに実施例２タイプは、前記する外装袋の下部は同じであるが、上辺の開口部の一部をカットした外装袋とし、その外装袋内に野菜や花の種を収めたチャック付き透明袋を入れた後に糊付き蓋片を折り返すと透明袋と外装袋に糊付き蓋片が接着することで外装袋下部から透明袋は脱落しない状態にして中身が見える種袋を形成する。
【図面の簡単な説明】
【００１０】
【図１】本考案による実施例１の種収納袋の正面を示す斜視図である。
【図２】本考案による実施例１の種収納袋の背面を示す斜視図である。
【図３】本考案による実施例１の種収納袋の背面を示す分解斜視図である。
【図４】本考案による実施例２の種収納袋の背面を示す一部剥離した斜視図である。
【図５】本考案による実施例３の種収納袋の背面を示す斜視図である。
【考案を実施するための最良の形態】
【００１１】  本考案による種収納袋は、封を切らずに中身の種の状態や数を確認できる種収納袋１とするために、表面に種７に対応する野菜や花の写真Ａを印刷し、かつ裏紙の下部をカットして成る外装袋２内に、種７を入れたチャック５付き透明袋６を入れて閉じて成る種収納袋１とする。
【実施例１】
【００１２】  本考案の種収納袋を、図１の種収納袋の正面図と図２に示す背面図と図３に示す分解斜視図で説明する。
本考案による種収納袋１は、紙素材で成る外装袋２の表紙１１に種７が生育した状態の写真Ａを印刷した外装袋２の裏紙１２の下部を、高さ約１０〜１５ｍｍ程度で幅は袋幅に近い程度の大きさの略台形状を成す横長の切り取り開放穴３設けるとともに、その上部に折り返しの蓋片４を設けて成る外装袋２を形成し、その外装袋２の内部に、図３に示すようにビニールなどによるチャック５付き透明袋６に数多くの種７を入れた上で、その透明袋６を前記する外装袋２内に収めてから、その外装袋２の下部と透明袋６の下部を揃えて後、上部の蓋片４を閉じて、外装袋２と内側の透明袋６の二つをホッチキス８で綴じて成る中身が見える種収納袋１を構成する。【００１３】  実施例１の中身が見える種収納袋１は、外装袋２は紙素材とするが、その裏紙１２の下部には横長の切り取り開放穴３を設けた外装袋２とし、その外装袋２内に数多くの種７入れたチャック５付き透明袋６を収めてから蓋片４の中ほど部を、外装袋２と透明袋６の二つをホッチキス８止めしているので、透明袋６は外装袋２の切り取り開放穴３から落ちることは無く、しかも外装袋２下部は開放しているので封を切らずに種の状態や数を確認できる種収納袋１となる。
【実施例２】
【００１４】  実施例２の種収納袋を図４に示す一部を剥離した状態の斜視図で説明する。
実施例２に示す種収納袋１は、前記実施例１と同様に、外装袋２の裏紙１２の下部に略台形状の切り取り開放穴３を設け、かつ上部の外装袋２の入り口をコの字状に切り取ったカット部９を形成するとともに、表紙１の蓋片４内側に接着剤１０を塗布して成る外装袋２内に、前記実施例１タイプと同様の種７を入れたチャック５付き透明袋６を収めてから、前記の接着剤１０付き蓋片４を貼り付けると、コの字状のカット部９に位置する透明袋６とともに左右の外装袋２にも接着して成る種収納袋１を構成する。【００１５】  実施例２に示す種収納袋１は、外装袋２の裏紙１２下部には前記実施例１と同様に台形状の切り取り開放穴３を設けているが、その上部の口辺にはコの字状のカット部９を設けるとともに、その口を閉じる蓋片４の内側に接着剤１０を施しているので、外装袋２内に種７を入れたチャック５付き透明袋６を収めた後に、接着剤１０付き蓋片４を貼り付けると、コの字状のカット部９に位置する透明袋６と両側の外装袋２にも接着するので、前記する透明袋６は切り取り開放穴３から落下することが無い種収納袋１となる。
【実施例３】
【００１６】  実施例３の種収納袋を図５に示す斜視図で説明する。
実施例３による種収納袋１は、前記実施例１タイプと実施例２タイプと異なる外装袋２Ａを形成する。【００１７】  実施例３に示す種収納袋１における外装袋２Ａは、図５に示すように種７を入れたチャック５付き透明袋６より一回り大きい表紙１１を置き、その上に、前記する種７を入れたチャック５付き透明袋６置いてから、下部に略台形状の切り取り穴３を設けた裏紙１２を重ねて後に、その周囲を接着して成る外装袋２Ａ内に、前記前記実施例１タイプ及び実施例２タイプと同様に、種７を入れたチャック５付き透、明袋６を封入して成る中身が見える種収納袋１を構成する。【００１８】  実施例３示す種収納袋１は、種７を入れたチャック５付き透明袋６より一回り大きい表紙１１と、切り取り開放穴３を設けた裏紙１２で挟んだ上で、その周囲を接着封入する方法であるため、封を切らずに前記前記実施例１タイプ及び実施例２タイプと同様に切り取り開放穴３から内部の種７の状態を確認することができる。
【符号の説明】
【００１９】１  種収納袋
２  外装袋
２Ａ  外装袋
３  切り取り開放穴
４  蓋片
５  チャック
６  透明袋
７  種
８  ホッチキス
９  カット部
１０  接着剤
１１  表紙
１２  裏紙
Ａ  写真
【図１】
0003165837.tif 000003
【図２】
0003165837.tif 000004
【図３】
0003165837.tif 000005
【図４】
0003165837.tif 000006
【図５】
0003165837.tif 000007